(57)【要約】【課題】鉄筋の結束をする作業現場で使用することができ、腰掛けたままで結束作業および鉄筋の上の移動をすることができる作業用椅子を提供する。【解決手段】作業用椅子１０は作業者が着座することのできる大きさの基盤部１２と、基盤部の裏面に鉄筋４０上を転動可能に並行に配設された２個以上の金属製のローラー１６と、基盤部の上面に設置される着座部１４を備え、ローラー１６の軸方向長さは鉄筋４０の配列間隔よりも長く設定されており、作業者が着座部１４に着座した状態で、ローラー１６の転動により鉄筋４０上を移動して作業することができる。【選択図】図１
0003136200.tif 000002
【実用新案登録請求の範囲】
【請求項１】
鉄筋の結束をする作業現場で、配列された鉄筋上で作業者が着座して使用する作業用椅子であって、
作業者が着座することができる大きさの基盤部と、該基盤部の裏面に前記鉄筋上を転動可能に並行に配設された２個以上の金属製のローラーと、前記基盤部の上面に設置される着座部を備え、
前記ローラーの軸方向長さは鉄筋の配列間隔よりも長く設定されており、作業者が着座部に着座した状態で、ローラーの転動により鉄筋上を移動して作業することができる作業用椅子。
【請求項２】
請求項１に記載の作業用椅子であって、更に、前記基盤部の上面に傘立て用の傘ホルダを備えることを特徴とする作業用椅子。
【請求項３】
請求項１または請求項２に記載の作業用椅子であって、更に、前記基盤部の上面に小物収容箱を備えることを特徴とする作業用椅子。
【考案の詳細な説明】
【技術分野】
【０００１】
この考案は作業用椅子に関する。特に鉄筋の結束のように、作業位置を小刻みに移動しながら中腰での作業が要求される作業現場での使用に適した作業用椅子に関する。
【背景技術】
【０００２】
作業位置を小刻みに変えながら中腰での作業が要求される作業現場では、作業者の腰や膝への負担が大きい。そこで、作業者の負担軽減の目的で各種の作業用椅子が提案されている。例えば、特開平９−２８５１１号公報（特許文献１）には、建築現場のフローリング作業用のキャスタを備えた作業用補助椅子が開示されている（特許文献１の図１参照）。これは作業用補助椅子に腰掛けたままで作業位置を移動しながらフローリング作業を行うことができるというものである。
【特許文献１】特開平９−２８５１１号公報
【考案の開示】
【考案が解決しようとする課題】
【０００３】
ここで、特許文献１に開示された作業用補助椅子は、キャスタを移動手段として用いるため、使用できる作業現場がキャスタでの移動が可能な平坦な作業現場に限られる。
しかしながら、鉄筋の結束の作業は、作業現場が格子状に配列された鉄筋の上であるため、キャスタ等の車輪を備えた作業用椅子は鉄筋の格子の間に車輪が落ちてしまうため使用できない。
鉄筋の結束作業は小刻みに作業位置を移動しながらの作業であるが、鉄筋の上を移動できる作業用椅子がないため、作業者は格子状の鉄筋の上で中腰での作業を強いられることとなっている。そして、鉄筋の上は足場が悪い上に無理な姿勢を強いられるため、作業者の腰や膝への負担が特に大きい。そのために、腰や膝を痛めてしまうおそれもある。
そこで、本考案が解決しようとする課題は、鉄筋の結束をする作業現場で使用することができ、腰掛けたままで結束作業および鉄筋の上の移動をすることができる作業用椅子を提供することにある。
【課題を解決するための手段】
【０００４】
上記課題を解決するため、本考案に係る作業用椅子は次の手段をとる。
まず、本考案の第１の考案に係る作業用椅子は、
鉄筋の結束をする作業現場で、配列された鉄筋上で作業者が着座して使用する作業用椅子であって、作業者が着座することができる大きさの基盤部と、該基盤部の裏面に前記鉄筋上を転動可能に並行に配設された２個以上の金属製のローラーと、前記基盤部の上面に設置される着座部を備え、前記ローラーの軸方向長さは鉄筋の配列間隔よりも長く設定されており、作業者が着座部に着座した状態で、ローラーの転動により鉄筋上を移動して作業することができることを特徴とする。
この第１の考案によれば、作業者は中腰の姿勢での作業が要求される鉄筋の結束作業を作業用椅子に腰掛けた状態で行うことができるので、作業中の腰や膝への負担の軽減を図ることができる。さらに、足場が悪く、炎天下では非常な高温となる鉄筋の上に直接乗って体を支える必要が無くなるので、足への負担の軽減を図ることができる。また、金属製のローラーは軸方向長さが鉄筋の配列間隔よりも長いため、ローラーが鉄筋の隙間に落ちることがなく、作業者は鉄筋の上を作業用椅子に腰掛けたままで移動することができるので、作業現場での作業位置の小刻みな変更が容易であり、作業効率の改善にもつながる。
なお、この作業用椅子はローラーの転動による移動するため移動方向が一定しており直進性に優れている。また、作業用椅子の着座部に作業者が着座する向きを変えることで、前後方向へ移動しながらの作業にも横方向に移動しながらの作業にも対応することがきる。
【０００５】
次に、本考案の第２の考案に係る作業用椅子は、上記第１の考案に係る作業用椅子であって、更に、前記基盤部の上面に傘立て用の傘ホルダを備えることを特徴とする。
この第２の考案によれば、傘ホルダに傘を立てることで、傘を日差しが強いときの日除け、雨天時の雨よけとして使用することで、作業者の作業環境を改善することができる。
【０００６】
次に、本考案の第３の考案に係る作業用椅子は、上記第１または第２の考案に係る作業用椅子であって、更に、前記基盤部の上面に小物収容箱を備えることを特徴とする。
この第３の考案によれば、小物収容箱に作業用の工具や作業に使用する部品を入れておくことで、部品補充等のために仕掛かり中の作業現場から離れる必要が無く、継続して作業をすることができる。また、小物収容箱を作業現場で発生したゴミを入れるゴミ箱として使用することで、作業後にゴミ拾いをする手間を省くことができる。
【考案の効果】
【０００７】
上記本考案の各考案によれば、次の効果が得られる。
まず、上述した第１の考案によれば、作業者は中腰の姿勢での作業が要求される鉄筋の結束を作業用椅子に腰掛けた状態で行うことができるので、作業中の腰や膝や足への負担を大幅に軽減することができる。また、鉄筋の上を作業用椅子に腰掛けたままで移動できるので、作業現場での作業場所の変更が容易であり、作業の効率が良くなる。
次に、上述の第２の考案によれば、傘ホルダに傘を立て、傘を日差しが強いときの日除け、雨天時の雨よけとして使用することで、作業環境を改善することができる。
次に、上述の第３の考案によれば、小物収容箱に作業用の工具や作業に使用する部品を入れておくことで、部品補充等のために仕掛かり中の作業現場から離れる必要が無く、継続して作業をすることができる。小物収容箱はゴミ入れるゴミ箱としても使用できる。
【考案を実施するための最良の形態】
【０００８】
以下、本考案を実施するための最良の形態を説明する。
図１に本考案の一実施例である作業用椅子１０の外観斜視図、図２に作業用椅子１０の側面図、図３に作業用椅子１０の底面図、図４に図３におけるＡ−Ａ断面図を示す。
作業用椅子１０は幅約４０センチ長さ約５０センチの長方形をした鉄製の基盤部１２を備えており、基盤部１２の裏面の前部および後部には、長さが基盤部１２の幅とほぼ同じで、直径が約４センチの鉄製のローラー１６が並行に配置されている。このローラー１６は図３に示すように、その両端に設けられた係合孔１７を介して基盤部１２に溶接固定されたローラーホルダ１８に転動可能に取り付けられている。また、基盤部１２の裏面中央部には鉄製の補強材１３が溶接されている。
なお、実施例では基盤部１２は鉄製としているが、基盤部１２を、アルミ製、樹脂製、あるいは木製とし、ローラーホルダ１８を基盤部１２にネジ止めしてもよい。
【０００９】
基盤部１２の上面の前部には縦横がそれぞれ約４０センチで厚さが約１０センチの発泡スチロール性の着座部１４が載っており、基盤部１２の上面の着座部１４の角が接する位置には、着座部１４の脱落を防ぐために、着座部ホルダ２０が設けられている。そして、着座部１４は着座部固定バンド２２により２箇所で基盤部１２に固定されている。実施例では着座部固定バンド２２としてゴムバンドを使用している。
着座部固定バンド２２を外せば、着座部１４は着脱自在であるため、腰掛ける位置がへこんだ場合には、着座部１４の前後を入れ替えたり、裏表を反転して、へこんでいない部位を腰掛ける位置として使用することができる。
なお、着座部の材質は発砲スチロールに限られない。着座部ホルダ２０は省略することもできる。また、着座部１４を接着剤で基盤部１２に固定することもできる。
【００１０】
基盤部１２の後端には着座部１４に隣接して、横幅が基盤部１２の幅とほぼ同じで、縦幅が約１０センチ、高さが着座部１４の高さと同じに設定された鉄製の小物収容箱２８が設けられている。小物収容箱２８は上部が開放された箱形状をしている。また、小物収容箱２８の幅方向中央には傘を立てるための中空のパイプである傘ホルダ２４が設けられている。そして、小物収容箱２８の着座部１４側の側面には傘を固定するための紐を止めるフック掛け２６が設けられている。
【００１１】
ここで、図３のＢ−Ｂ断面を示す図５を用いてローラー１６の固定方法について説明する。まず、基盤部１２の裏面に一方のローラーホルダ１８を溶接して固定する。次に、固定されたローラーホルダ１８の係合ピン１９をローラー１６の係合孔１７に挿通して、ローラーホルダ１８にローラー１６を係合させる。図５は溶接済みのローラーホルダ１８にローラー１６を係合させた状態を示している。続いて、反対側のローラーホルダ１８の係合ピン１９をローラー１６係合孔１７に挿通し、ローラーホルダ１８を基盤部１２の裏面に溶接して固定する。ローラーホルダ１８は溶接固定なので使用中にローラー１６が外れる心配がない。
【００１２】
図６に作業用椅子１０の使用状態を示す。作業者５０は中腰の姿勢での作業が要求される鉄筋の結束を、作業用椅子１０の着座部１４に腰掛けた状態で行うことができるので、作業中の腰や膝への負担を大幅に軽減することができる。さらに、足場が悪く炎天下で非常な高温となる鉄筋４０の上に直接乗って体を支える必要が無くなるので、足への負担も大幅に軽減することができる。
また、金属製のローラー１６は軸方向長さが鉄筋４０の配列間隔よりも長いため、ローラー１６が鉄筋５０の隙間に落ちることはないので、作業者５０は鉄筋４０の上を作業用椅子１０に腰掛けたままで移動することができる。よって、作業現場での作業位置の小刻みな変更が容易であり、作業効率の改善にもつながる。
この作業用椅子１０はローラー１６の転動により移動するため移動方向が一定しており直進性に優れている。また、作業用椅子１０の着座部１４に作業者５０が着座する向きを変えることで、前後方向へ移動しながらの作業にも横方向に移動しながらの作業にも対応することがきる。
【００１３】
図６には傘ホルダ２４に傘３０を立てて傘止め紐３２の端をフック掛け２６にかけて傘３０を作業用椅子１０に固定した状態が示されている。傘３０を作業用椅子１０に取り付けることで、作業者５０は、傘３０を日除けあるいは雨よけとして、鉄筋４０の結束作業をすることができる。
【００１４】
図６の作業用椅子１０の作業者５０が着座している後方には、小物収容箱２８が備えられている。作業者５０は小物収容箱２８に作業用の工具や作業に使用する部品を入れておくことで、部品補充等のために仕掛かり中の作業現場から離れる必要がなく、継続して作業をすることができる。また、小物収容箱２８を作業現場で発生したゴミを入れるゴミ箱として使用することで、作業後にゴミ拾いをする手間を省くことができる。
【００１５】
実施例ではローラー１６の直径は約４センチとしているが、鉄筋が太くローラー１６が鉄筋４０の表面の凹凸の影響で転がりにくいときは、ローラー１６の直径を大きくし、着座部１４を薄くすることで作業用椅子１０の鉄筋４０上での可動性を確保することができる。
その他、本考案はその技術思想の範囲で、各種の形態で実施できるものである。
【図面の簡単な説明】
【００１６】
【図１】一実施例における作業用椅子の外観斜視図を示す。
【図２】作業用椅子の側面図である。
【図３】作業用椅子の底面図である。
【図４】図３におけるＡ−Ａ断面を示す図である。
【図５】図３のＢ−Ｂ断面位置において、ローラーの取付け手順を示した図である。
【図６】作業用椅子の使用例を示す図である。
【符号の説明】
【００１７】
１０   作業用椅子
１２   基盤部
１３   補強材
１４   着座部
１６   ローラー
１７   係合孔
１８   ローラーホルダ
１９   係合ピン
２０   着座部ホルダ
２２   着座部固定バンド
２４   傘ホルダ
２６   フック掛け
２８   小物収容箱
３０   傘
３２   傘止め紐
４０   鉄筋
５０   作業者
【図１】
0003136200.tif 000003
【図２】
0003136200.tif 000004
【図３】
0003136200.tif 000005
【図４】
0003136200.tif 000006
【図５】
0003136200.tif 000007
【図６】
0003136200.tif 000008